【事件の表示】
　特許第６０７５４０６号発明「保護フィルム付き接着シート」の特許異議申立事件について、次のとおり決定する。
【結　論】
　特許第６０７５４０６号の特許請求の範囲を訂正請求書に添付された訂正特許請求の範囲のとおり、訂正後の請求項〔２，４〜１２〕について訂正することを認める。
　特許第６０７５４０６号の請求項１ないし１２に係る特許を維持する。
【理　由】
第１　手続の経緯  
  
　特許第６０７５４０６号の請求項１ないし１２に係る特許についての出願は、平成２７年５月２７日（優先権主張　平成２６年６月１８日）に出願した特願２０１５−１０７６５８号であって、平成２９年１月２０日にその特許権の設定登録がされ、その後、その特許に対し、同年７月２６日に特許異議申立人　松井　佳章（以下、「特許異議申立人」という。）により特許異議の申立てがされ、同年１０月１７日付けで取消理由が通知され、同年１２月２０日に特許権者　味の素株式会社より訂正請求（以下、「本件訂正の請求」という。）がされるとともに意見書が提出され、平成３０年１月１１日付けで訂正請求があった旨の通知がされ、同年２月１４日に特許異議申立人より意見書が提出され、同年４月２７日付けで訂正拒絶理由が通知され、同年６月６日に特許権者より意見書が提出され、同年８月３日付けで取消理由通知（決定の予告）が通知され、その指定期間内である同年１０月５日に特許権者より意見書の提出があり、これに対し、同年１１月２９日付けで異議申立人より上申書が提出されたものである。  
  
  
第２　訂正の適否  
  
１　訂正事項  
  
　本件訂正の請求は、本件特許請求の範囲を、訂正請求書に添付した訂正特許請求の範囲のとおり、訂正後の請求項２，４〜１２について訂正することを求めるものであって、その具体的訂正事項は次のとおりである。  
  
（１）訂正事項１  
  
　特許請求の範囲の請求項２に「非接触型表面粗さ計を用いてＶＳＩコンタクトモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩコンタクトモード、５０倍レンズにより測定範囲を１２１μｍ×９２μｍとして測定した保護フィルムの第２の表面の算術平均粗さ（Ｒａｐ２）」とあるのを、それぞれ、「非接触型表面粗さ計を用いてＶＳＩモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩモード、５０倍レンズにより測定範囲を１２１μｍ×９２μｍとして測定した保護フィルムの第２の表面の算術平均粗さ（Ｒａｐ２）」に訂正する。  
  
　併せて、特許請求の範囲の請求項２を直接的又は間接的に引用する請求項５〜１２についても、請求項２を訂正したことに伴う訂正をする。  
   
 （２）訂正事項２  
  
 　特許請求の範囲の請求項４に「非接触型表面粗さ計を用いてＶＳＩコンタクトモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩコンタクトモード、５０倍レンズにより測定範囲を１２１μｍ×９２μｍとして測定した保護フィルムの第２の表面の算術平均粗さ（Ｒａｐ２）」とあるのを、それぞれ、「非接触型表面粗さ計を用いてＶＳＩモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩモード、５０倍レンズにより測定範囲を１２１μｍ×９２μｍとして測定した保護フィルムの第２の表面の算術平均粗さ（Ｒａｐ２）」に訂正する。  
  
　併せて、特許請求の範囲の請求項４を直接的又は間接的に引用する請求項５〜１２についても、請求項４を訂正したことに伴う訂正をする。  
　そして、上記訂正事項１に係る訂正前の請求項５〜１０はそれぞれ請求項２を直接引用し、請求項１１及び１２は請求項２を間接的に引用しているものであるから、上記訂正事項１に係る訂正後の請求項２，５〜１２は、一群の請求項を構成するものである。 
　また、上記訂正事項２に係る訂正前の請求項５〜１０はそれぞれ請求項４を直接引用し、請求項１１及び１２は請求項４を間接的に引用しているものであるから、上記訂正事項２に係る訂正後の請求項４，５〜１２は、一群の請求項を構成するものである。
  
２　訂正事項の訂正の目的の適否、新規事項の有無及び特許請求の範囲の拡張・変更の存否について  
  
（１）訂正事項１について  
  
　訂正事項１は、訂正前の特許請求の範囲の請求項２に「非接触型表面粗さ計を用いてＶＳＩコンタクトモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩコンタクトモード、５０倍レンズにより測定範囲を１２１μｍ×９２μｍとして測定した保護フィルムの第２の表面の算術平均粗さ（Ｒａｐ２）」とあるのを、それぞれ、「非接触型表面粗さ計を用いてＶＳＩモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩモード、５０倍レンズにより測定範囲を１２１μｍ×９２μｍとして測定した保護フィルムの第２の表面の算術平均粗さ（Ｒａｐ２）」に訂正し、訂正前の請求項２に記載された「ＶＳＩコンタクトモード」について、非接触型表面粗さ計に一般に備えられている「ＶＳＩモード」へと改めて技術的に明瞭な記載とするものであることから、特許法第１２０条の５第２項ただし書第３号に掲げる明瞭でない記載の釈明を目的とするものに該当する。
　また、訂正事項１は、願書に添付した明細書の【００２０】には、「保護フィルムの第１及び第２の表面の算術平均粗さは、非接触型表面粗さ計を用いて測定することができる。非接触型表面粗さ計の具体例としては、ビーコインスツルメンツ社製の「ＷＹＫＯ　ＮＴ３３００」が挙げられる。」と記載されており、ビーコインスツルメンツ社製「ＷＹＫＯ　ＮＴ３３００」などの非接触型表面粗さ計には、測定モードとして「ＶＳＩモード」が備えられていることを鑑みれば、願書に添付した明細書、特許請求の範囲又は図面に記載した事項の範囲内のものである。
　さらに、訂正事項１は、訂正前の請求項２に記載された「ＶＳＩコンタクトモード」について、非接触型表面粗さ計に一般に備えられている「ＶＳＩモード」へと改めて技術的に明瞭な記載とするものであることから、実質上特許請求の範囲を拡張し、又は変更するものではない。
　したがって、訂正事項１は、特許法第１２０条の５第９項において準用する同法第１２６条第５項及び第６項の規定に適合するものである。
  
（２）訂正事項２について  
  
　訂正事項２は、訂正前の特許請求の範囲の請求項４に「非接触型表面粗さ計を用いてＶＳＩコンタクトモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩコンタクトモード、５０倍レンズにより測定範囲を１２１μｍ×９２μｍとして測定した保護フィルムの第２の表面の算術平均粗さ（Ｒａｐ２）」とあるのを、それぞれ、「非接触型表面粗さ計を用いてＶＳＩモード、５０倍レンズにより測定範囲を１２１μｍ×９２μｍとして測定した保護フィルムの第１の表面の算術平均粗さ（Ｒａｐ１）」及び「非接触型表面粗さ計を用いてＶＳＩモード、５０倍レンズにより測定範囲を１２１μｍ×９２μｍとして測定した保護フィルムの第２の表面の算術平均粗さ（Ｒａｐ２）」に訂正するものであるから、技術的に明瞭な記載とするものであり、特許法第１２０条の５第２項ただし書第３号に掲げる明瞭でない記載の釈明を目的とするものに該当する。
　また、訂正事項２は、願書に添付した明細書の【００２０】には、「保護フィルムの第１及び第２の表面の算術平均粗さは、非接触型表面粗さ計を用いて測定することができる。非接触型表面粗さ計の具体例としては、ビーコインスツルメンツ社製の「ＷＹＫＯ　ＮＴ３３００」が挙げられる。」と記載されており、ビーコインスツルメンツ社製「ＷＹＫＯ　ＮＴ３３００」などの非接触型表面粗さ計には、測定モードとして「ＶＳＩモード」が備えられていることを鑑みれば、願書に添付した明細書、特許請求の範囲又は図面に記載した事項の範囲内のものである。  
　さらに、訂正事項２は、訂正前の請求項４に記載された「ＶＳＩコンタクトモード」について、非接触型表面粗さ計に一般に備えられている「ＶＳＩモード」へと改めて技術的に明瞭な記載とするものであることから、実質上特許請求の範囲を拡張し、又は変更するものではない  
　したがって、訂正事項２は、特許法第１２０条の５第９項において準用する同法第１２６条第５項及び第６項の規定に適合するものである。
３　小括  
  
　上記「２」、「３」のとおり、本件訂正は、特許法第１２０条の５第２項ただし書き第３号に掲げる事項を目的とするものであり、かつ、同条第９項において準用する同法第１２６条第５項及び第６項の規定に適合する。  
　したがって、本件訂正の請求は適法なものであり、訂正後の請求項〔２，４〜１２〕について訂正することを認める。  
  
  
第３　本件発明  
  
　上記「第２」のとおり、本件訂正は認容し得るものであるから、本件訂正後の請求項１ないし１２に係る発明（以下、各請求項に係る発明を項番に対応して「本件発明１」などといい、併せて「本件発明」ということがある。）は、訂正請求書に添付された訂正特許請求の範囲の請求項１〜１２に記載された事項により特定される次のとおりのものであると認める。  
  
「【請求項１】 
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、 
　ＪＩＳ　Ｂ　０６０１に準拠して測定した保護フィルムの第１の表面の算術平均粗さ（Ｒａｐ１）が１００ｎｍ以上であり、 
　ＪＩＳ　Ｂ　０６０１に準拠して測定した保護フィルムの第２の表面の算術平均粗さ（Ｒａｐ２）が１００ｎｍ以上であり、 
　保護フィルムの第１の表面の算術平均粗さ（Ｒａｐ１）と、支持体の第１の表面の算術平均粗さ（Ｒａｓ１）との合計が１２０ｎｍ以上であり、 
　保護フィルムが、プラスチック材料からなるフィルムであり、 
　樹脂組成物層が、無機充填材、エポキシ樹脂及び硬化剤を含み、 
　支持体が、樹脂組成物層と接合する面に非シリコーン離型剤からなる離型層を有する離型層付き支持体である、保護フィルム付き接着シート。 
　　【請求項２】 
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、 
　非接触型表面粗さ計を用いてＶＳＩモード、５０倍レンズにより測定範囲を１２１μｍ×９２μｍとして測定した保護フィルムの第１の表面の算術平均粗さ（Ｒａｐ１）が１００ｎｍ以上であり、 
　非接触型表面粗さ計を用いてＶＳＩモード、５０倍レンズにより測定範囲を１２１μｍ×９２μｍとして測定した保護フィルムの第２の表面の算術平均粗さ（Ｒａｐ２）が１００ｎｍ以上であり、 
　保護フィルムの第１の表面の算術平均粗さ（Ｒａｐ１）と、支持体の第１の表面の算術平均粗さ（Ｒａｓ１）との合計が１２０ｎｍ以上であり、 
　保護フィルムが、プラスチック材料からなるフィルムであり、 
　樹脂組成物層が、無機充填材、エポキシ樹脂及び硬化剤を含み、 
　支持体が、樹脂組成物層と接合する面に非シリコーン離型剤からなる離型層を有する離型層付き支持体である、保護フィルム付き接着シート。 
　　【請求項３】 
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、 
　ＪＩＳ　Ｂ　０６０１に準拠して測定した保護フィルムの第１の表面の算術平均粗さ（Ｒａｐ１）が１００ｎｍ以上であり、 
　ＪＩＳ　Ｂ　０６０１に準拠して測定した保護フィルムの第２の表面の算術平均粗さ（Ｒａｐ２）が１００ｎｍ以上であり、 
　保護フィルムの第１の表面の算術平均粗さ（Ｒａｐ１）と、支持体の第１の表面の算術平均粗さ（Ｒａｓ１）との合計が１２０ｎｍ以上であり、 
　保護フィルムが、プラスチック材料からなるフィルムであり、 
　樹脂組成物層が、無機充填材、エポキシ樹脂及び硬化剤を含む、プリント配線板の絶縁層用保護フィルム付き接着シート。 
　　【請求項４】 
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、 
　非接触型表面粗さ計を用いてＶＳＩモード、５０倍レンズにより測定範囲を１２１μｍ×９２μｍとして測定した保護フィルムの第１の表面の算術平均粗さ（Ｒａｐ１）が１００ｎｍ以上であり、 
　非接触型表面粗さ計を用いてＶＳＩモード、５０倍レンズにより測定範囲を１２１μｍ×９２μｍとして測定した保護フィルムの第２の表面の算術平均粗さ（Ｒａｐ２）が１００ｎｍ以上であり、 
　保護フィルムの第１の表面の算術平均粗さ（Ｒａｐ１）と、支持体の第１の表面の算術平均粗さ（Ｒａｓ１）との合計が１２０ｎｍ以上であり、 
　保護フィルムが、プラスチック材料からなるフィルムであり、 
　樹脂組成物層が、無機充填材、エポキシ樹脂及び硬化剤を含む、プリント配線板の絶縁層用保護フィルム付き接着シート。 
　　【請求項５】 
　樹脂組成物層中の無機充填材の含有量が、樹脂組成物層中の不揮発成分を１００質量％としたとき、６０質量％以上である、請求項１〜４のいずれか１項に記載の保護フィルム付き接着シート。 
　　【請求項６】 
　保護フィルムの第２の表面の算術平均粗さ（Ｒａｐ２）が２５０ｎｍ以上である、請求項１〜５のいずれか１項に記載の保護フィルム付き接着シート。
　　【請求項７】 
　保護フィルムの厚さが、１０〜３０μｍである、請求項１〜６のいずれか１項に記載の保護フィルム付き接着シート。 
　　【請求項８】 
　支持体の厚さが、１０〜５０μｍである、請求項１〜７のいずれか１項に記載の保護フィルム付き接着シート。 
　　【請求項９】 
　樹脂組成物層の厚さが、１〜２５μｍである、請求項１〜８のいずれか１項に記載の保護フィルム付き接着シート。 
　　【請求項１０】 
　請求項１〜９のいずれか１項に記載の保護フィルム付き接着シートがロール状に巻き取られたロール状保護フィルム付き接着シート。 
　　【請求項１１】 
　（Ｉ）請求項１０に記載のロール状保護フィルム付き接着シートを用いて、カットされた接着シートが内層基板の表面に設けられた積層体を形成する工程、 
　（ＩＩ）積層体を加熱及び加圧し、内層基板に接着シートをラミネート処理する工程、及び 
　（ＩＩＩ）接着シートの樹脂組成物層を熱硬化し、絶縁層を形成する工程
を含む、プリント配線板の製造方法。 
　　【請求項１２】 
　工程（Ｉ）が、 
　（ａ−１）請求項１０に記載のロール状保護フィルム付き接着シートから保護フィルム付き接着シートを搬送しながら、保護フィルムを剥離すること、
　（ａ−２）樹脂組成物層が露出した接着シートを、樹脂組成物層が内層基板と接合するように配置すること、 
　（ａ−３）接着シートの一部を支持体側から加熱及び加圧することで部分的に接着シートを内層基板に接着すること、及び 
　（ａ−４）接着シートを内層基板のサイズに応じてカッターでカットすることにより、カットされた接着シートを内層基板の表面に設けること 
を含む、請求項１１に記載の方法。」
  
  
第４　平成３０年８月３日付けで通知した取消理由（決定の予告）の概要  
  
　標記取消理由の概要は、以下のとおりである。  
  
　すなわち、本件特許の請求項１〜１２に係る発明は、その優先日前に日本国内又は外国において、頒布された甲第１号証に記載の発明及び甲第２〜４，６，７号証に記載の技術的事項に基いて、その優先日前にその発明の属する技術の分野における通常の知識を有する者が容易に発明をすることができたものであって、特許法第２９条第２項の規定により特許を受けることができないから、その発明に係る特許は、取り消すべきものである。 
  
　甲第１号証：特開２０１４−０２４９６１号公報  
　甲第２号証：特開２０１３−０２６４５６号公報  
　甲第３号証：特開２００６−３１２２６３号公報  
　甲第４号証：特開２００２−２５２４５８号公報  
　甲第５号証：王子アルファンホームページカタログ  
 　　　http://www.ojif-tex.co.jp/alphan/pdf/pro/function_film.pdf  
　甲第６号証：特開平１１−０９２７２０号公報  
　甲第７号証：特開２００９−２０２４２２号公報  
　甲第７−１号証：土木学会論文集　Ａ１（構造・地震工学）、Vol.67、No.2、PP.446-453、2011
  
（甲第１〜７号証及び甲第７−１号証は、平成２９年７月２６日に特許異議申立人が提出した特許異議申立書（以下、「特許異議申立書」という。）に添付されたものである。）
  
　なお、上記取消理由は、申立理由のうち、甲第１号証を主引例とする訂正前の請求項１ないし１２に対する進歩性欠如に関する理由と同趣旨である。
  
  
第５　取消理由に関する当審の判断  
  
１　甲各号証に記載の事項（以下、甲第１号証を「甲１」などという。）  
  
（１）甲１（特開２０１４−０２４９６１号公報）  
　甲１には、次の記載がある。なお、下線は、当審が付与したものであり、以下、同様である。  
  
（１−１）「【特許請求の範囲】 
【請求項１】 
　
支持体及び該支持体と接合している樹脂組成物層からなる接着シートと、該接着シートの樹脂組成物層と接合するように設けられた保護フィルムとを含む保護フィルム付き接着シート
　
樹脂組成物層が無機充填材及び熱硬化性樹脂を含み
　
樹脂組成物層中の無機充填材の含有量が、樹脂組成物層中の不揮発成分を１００質量％としたとき、６０質量％以上であり
　
樹脂組成物層に対する支持体の剥離強度（Ｓ
Ａ
）と、樹脂組成物層に対する保護フィルムの剥離強度（Ｓ
Ｂ
）とが、Ｓ
Ａ
−Ｓ
Ｂ
≧０．００２０［ｋｇｆ／ｃｍ］を満たす
【請求項２】
　
Ｓ
Ｂ
が０．００８０ｋｇｆ／ｃｍ以下である
【請求項３】
　
［（樹脂組成物層の最低溶融粘度温度）−１０℃］以下の温度条件下で、樹脂組成物層と接合するように保護フィルムを設けて得られる
【請求項４】
　
支持体及び保護フィルムのそれぞれの厚みが５μｍ〜７５μｍであり、保護フィルムが支持体よりも薄い
・・・
【請求項６】
　
支持体が、樹脂組成物層と接合している側の表面に離型層を有する
・・・ 
【請求項９】 
　
プリント配線板のビルドアップ層用保護フィルム付き接着シートである
（１−２）「【００３７】
　一実施形態において、
本発明の保護フィルム付き接着シートに含まれる樹脂組成物層は、上述の無機充填材、エポキシ樹脂、及び硬化剤を含む
樹脂組成物層に対する支持体及び保護フィルムの剥離強度（Ｓ
Ａ
及びＳ
Ｂ
）が所望の範囲にある保護フィルム付き接着シートを製造する観点から、樹脂組成物層は、無機充填材としてシリカを、エポキシ樹脂として液状エポキシ樹脂と固体状エポキシ樹脂との混合物（液状エポキシ樹脂：固体状エポキシ樹脂の質量比は１：０．１〜１：５、好ましくは１：０．５〜１：４）を、硬化剤として含窒素フェノール系硬化剤（好ましくはトリアジン骨格含有フェノール系硬化剤）及び活性エステル系硬化剤からなる群から選択される１種以上を、それぞれ含むことが好ましい
・・・
　【００５７】
　離型層付き支持体を用いる場合、オートカッター装置において、保護フィルム付き接着シートを搬送する過程で、支持体と樹脂組成物層との間に剥離（浮き）が起こり易くなる。剥離が発生した場合、オートカッター装置における保護フィルム剥離時に樹脂剥がれの問題が発生し易くなるなどの不具合を生じる。このような
支持体と樹脂組成物層との間の剥離を抑制するためには、保護フィルム付き接着シートにおける樹脂組成物層に対する支持体の剥離強度（Ｓ
Ａ
）は、好ましくは０．００５５ｋｇｆ／ｃｍ以上、より好ましくは０．００６０ｋｇｆ／ｃｍ以上、さらに好ましくは０．００６５ｋｇｆ／ｃｍ以上、特に好ましくは０．００７０ｋｇｆ／ｃｍ以上、０．００８０ｋｇｆ／ｃｍ以上、０．００９０ｋｇｆ／ｃｍ以上、０．０１００ｋｇｆ／ｃｍ以上、０．０１１０ｋｇｆ／ｃｍ以上、０．０１２０ｋｇｆ／ｃｍ以上、０．０１３０ｋｇｆ／ｃｍ以上、又は０．０１４０ｋｇｆ／ｃｍ以上である
接着シートを回路基板にラミネート処理した後に支持体が剥離可能であればよく、一般的には０．２ｋｇｆ／ｃｍ以下の範囲に収まることとなる
　【００５８】
　
離型層付き支持体の離型層に使用する離型剤としては、接着シートを回路基板にラミネート処理した後に支持体を剥離可能にし、かつ、保護フィルム付き接着シートにおける樹脂組成物層に対する支持体の剥離強度（Ｓ
Ａ
）が上記好ましいとなるようなものであれば特に限定はされない
メチルセルロース、エチルセルロース、アセチルセルロース等のセルロース誘導体やアルキド樹脂等を配合することにより、シリコーン系離型剤の離型性を調整することができるため、かかる離型性の調整によって、支持体の剥離強度（Ｓ
Ａ
）を上記好ましい範囲とし得る離型層を調製してもよい
　なお、離型層付き支持体における離型層の厚みは、通常、０．０１μｍ〜１μｍ程度であり、好ましくは０．０１μｍ〜０．２μｍである。
・・・
　【００６０】
　
上記剥離強度（Ｓ
Ａ
）は支持体の厚みが大きいほど増大する傾向にある
・・・
　【００６４】
　本発明の保護フィルム付き接着シートにおいて、
オートカッター装置における保護フィルム剥離時の樹脂剥がれを防止する観点から、樹脂組成物に対する支持体の剥離強度（Ｓ
Ａ
）と、樹脂組成物層に対する保護フィルムの剥離強度（Ｓ
Ｂ
）とは、Ｓ
Ａ
−Ｓ
Ｂ
≧０．００２０［ｋｇｆ／ｃｍ］を満たすことが重要である
　【００６５】
　本発明の保護フィルム付き接着シートにおいて、支持体及び保護フィルムのそれぞれの厚みは、上記のとおり５μｍ〜７５μｍの範囲であることが好ましい。
樹脂組成物層に対する支持体の剥離強度（Ｓ
Ａ
）と樹脂組成物層に対する保護フィルムの剥離強度（Ｓ
Ｂ
）との差（Ｓ
Ａ
−Ｓ
Ｂ
）を特定範囲とする観点から、保護フィルムは支持体よりも薄いことが好ましい
　【００６６】
　
本発明の保護フィルム付き接着シートは、例えば、下記工程（１）及び（２）を含む製造方法により製造することができる。
（１）支持体と接合するように樹脂組成物層を設けて接着シートを形成する工程、
（２）上記（１）で得た接着シートの樹脂組成物層と接合するように保護フィルムを設ける工程
・・・
　【００６９】
　樹脂ワニスの乾燥は、加熱、熱風吹きつけ等の公知の乾燥方法により実施してよい。樹脂組成物層中に溶剤が多く残留すると、硬化後に膨れが発生する原因となるため、樹脂組成物中の残留溶剤量が通常１０質量％以下、好ましくは５質量％以下となるように乾燥させる。
　
樹脂組成物層に対する支持体の剥離強度（Ｓ
Ａ
）と樹脂組成物層に対する保護フィルムの剥離強度（Ｓ
Ｂ
）との差（Ｓ
Ａ
−Ｓ
Ｂ
）を特定範囲とする観点から、樹脂組成物中の残留溶剤量が、より好ましくは０．２質量％〜５質量％の範囲、さらに好ましくは０．５質量％〜４．５質量％の範囲、特に好ましくは１．６質量％〜４．０質量％の範囲となるように乾燥させる
・・・
　【００７３】
　
樹脂組成物層に対する支持体及び保護フィルムの剥離強度（Ｓ
Ａ
及びＳ
Ｂ
）が所望の範囲にある保護フィルム付き接着シートが得られ易い観点から、工程（２）においては、ロールやプレス圧着等で保護フィルムを接着シートの樹脂組成物層にラミネート処理することが好ましい
　【００７４】
　
工程（２）におけるラミネート処理において、圧着圧力は、通常０．０２ｋｇｆ／ｃｍ
２
〜１１ｋｇｆ／ｃｍ
２
（０．１９６×１０
４
Ｎ／ｍ
２
〜１０７．９×１０
４
Ｎ／ｍ
２
）の範囲であり、好ましくは０．０３ｋｇｆ／ｃｍ
２
〜５ｋｇｆ／ｃｍ
２
（０．２９４×１０
４
Ｎ／ｍ
２
〜７８．４×１０
４
Ｎ／ｍ
２
）の範囲、より好ましくは０．０４ｋｇｆ／ｃｍ
２
〜２ｋｇｆ／ｃｍ
２
（０．３９２×１０
４
Ｎ／ｍ
２
〜４９×１０
４
Ｎ／ｍ
２
）の範囲である
　【００７５】
　
樹脂組成物層に対する支持体及び保護フィルムの剥離強度（Ｓ
Ａ
及びＳ
Ｂ
）が所望の範囲にある保護フィルム付き接着シートを製造するにあたり、［樹脂組成物層の最低溶融粘度温度−１０℃］以下の温度条件にて工程（２）を実施することが好ましい
　【００７６】
　
樹脂組成物層の組成にもよるが、樹脂組成物層に対する支持体及び保護フィルムの剥離強度（Ｓ
Ａ
及びＳ
Ｂ
）が所望の範囲にある保護フィルム付き接着シートを製造する観点から、
　
工程（１）において、樹脂組成物中の残留溶剤量が０．２質量％〜５質量％の範囲及び樹脂組成物層の最低溶融粘度温度が６０℃〜１７０℃の範囲となるように樹脂ワニスを乾燥して樹脂組成物層を形成し、かつ、工程（２）において、［樹脂組成物層の最低溶融粘度温度−８０℃］〜［樹脂組成物層の最低溶融粘度温度−１０℃］の範囲の温度にて、圧着圧力０．０２ｋｇｆ／ｃｍ
２
〜１１ｋｇｆ／ｃｍ
２
（０．１９６×１０
４
Ｎ／ｍ
２
〜１０７．９×１０
４
Ｎ／ｍ
２
）の範囲の条件で、樹脂組成物層と接合するように保護フィルムを設けることが好ましく
　工程（１）において、樹脂組成物中の残留溶剤量が０．５質量％〜４．５質量％の範囲及び樹脂組成物層の最低溶融粘度温度が７０℃〜１６０℃の範囲となるように樹脂ワニスを乾燥して樹脂組成物層を形成し、かつ、工程（２）において、［樹脂組成物層の最低溶融粘度温度−５５℃］〜［樹脂組成物層の最低溶融粘度温度−２０℃］の範囲の温度にて、圧着圧力０．０４ｋｇｆ／ｃｍ２〜２ｋｇｆ／ｃｍ２（０．３９２×１０４Ｎ／ｍ２〜４９×１０４Ｎ／ｍ２）の範囲の条件で、樹脂組成物層と接合するように保護フィルムを設けることがより好ましい。」
  
（１−３）「【００８０】 
　［カットされた接着シートが回路基板の表面に設けられた積層体の製造方法］ 
　本発明のロール状保護フィルム付き接着シートを用いて、カットされた接着シートが回路基板の表面に設けられた積層体（以下、単に「積層体」ともいう。）を連続的に製造することができる。 
【００８１】 
　すなわち、
本発明の積層体の製造方法は、下記工程（ａ−１）乃至（ａ−４）を含む
　
（ａ−１）本発明のロール状保護フィルム付き接着シートから保護フィルム付き接着シートを搬送しながら、保護フィルムを剥離する工程
　
（ａ−２）樹脂組成物層が露出した接着シートを、樹脂組成物層が回路基板と接合するように配置する工程
　
（ａ−３）接着シートの一部を支持体側から加熱及び加圧することで部分的に接着シートを回路基板に接着する工程
　
（ａ−４）接着シートを回路基板のサイズに応じてカッターでカットすることにより、カットされた接着シートを回路基板の表面に設ける工程
・・・ 
【０１００】 
　［プリント配線板の製造方法］ 
　上記で得られた、カットされた接着シートが回路基板の表面に設けられた積層体を用いて、プリント配線板を製造することができる。 
【０１０１】 
　
本発明のプリント配線板の製造方法は、下記工程（ｂ−１）及び（ｂ−２）を含む
　
（ｂ−１）本発明の方法で製造された積層体を加熱及び加圧し、回路基板に接着シートをラミネート処理する工程
　
（ｂ−２）樹脂組成物層を熱硬化し、絶縁層を形成する工程
  
（１−４）「【０１１８】 
　＜実施例１＞ 
　下記の方法に従ってロール状保護フィルム付き接着シートを製造した。 
【０１１９】 
（樹脂ワニスの調製） 
　
ナフタレン型エポキシ樹脂（エポキシ当量１４４、ＤＩＣ（株）製「ＥＸＡ４０３２ＳＳ」）６質量部、ビキシレノール型エポキシ樹脂（エポキシ当量１９０、三菱化学（株）製「ＹＸ４０００ＨＫ」）１２質量部、及びビフェニル型エポキシ樹脂（エポキシ当量約２９０、日本化薬（株）製「ＮＣ３０００Ｈ」）９質量部
活性エステル硬化剤（活性基当量約２２３、ＤＩＣ（株）製「ＥＸＢ−９４６０Ｓ−６５Ｔ」、不揮発成分６５質量％のトルエン溶液）４５質量部、フェノキシ樹脂（重量平均分子量３５０００、三菱化学（株）製「ＹＬ７５５３ＢＨ３０」、固形分３０質量％のＭＥＫ溶液）５質量部
フェニルアミノシラン（信越化学工業（株）製、「ＫＢＭ５７３」）で表面処理した球形シリカ（（株）アドマテックス製「ＳＣ２５００ＳＱ」、平均粒子径０．５μｍ、単位面積当たりのカーボン量０．３９ｍｇ／ｍ
２
）１６０質量部
【０１２０】 
（接着シートの調製） 
　
支持体としてアルキド樹脂系離型層付きポリエチレンテレフタレートフィルム（厚さ３８μｍ、リンテック（株）製、「ＡＬ５」）
該支持体の離型層側表面に、ダイコーターにて均一に塗布し、８０℃〜１０５℃（平均９０℃）で４．５分間乾燥させて樹脂組成物層を形成した
樹脂組成物層は、厚み３０μｍ
【０１２１】 
（ロール状保護フィルム付き接着シートの製造） 
　上記で得た接着シートの樹脂組成物層側表面に、
保護フィルムとしてポリプロピレンフィルム（王子特殊紙（株）製、「アルファンＭＡ−４１１」の平滑面側、厚み１５μｍ）
得られた保護フィルム付き接着シートをロール状に巻き取った
（２）甲２（特開２０１３−０２６４５６号公報）  
　甲２には、次の記載がある。  
  
（２−１）「【００１７】 
　本発明の一態様においては、
接着防止フィルムの、絶縁層と接触する側の主面の表面粗さＲａを０．２μｍ以上とすることができる。接着防止フィルムは、多層配線基板などのような素子の構成要素ではないので、上述のようにして平坦化プレスを実施した後は、絶縁層から剥離することになるが、上述のような表面粗さＲａで規定されるように、絶縁層と接触する側の主面を粗しておくことにより、接着防止フィルムの、絶縁層からの剥離を容易に行うことができる
  
（２−２）「【００４３】 
　また、
キャリアフィルム１６の、絶縁層１４と接触する側の面の表面粗さＲａを０．２μｍ以上とすることができる。このように絶縁層１４と接触する側の面を上記の程度で粗しておくことにより、キャリアフィルム１６の、絶縁層１４からの剥離を容易に行うことができ
  
（３）甲３（特開２００６−３１２２６３号公報）  
　甲３には、次の記載がある。  
  
（３−１）「【特許請求の範囲】 
【請求項１】 
２層以上からなる積層フィルムであって、少なくとも一方の最表面を構成する層が、平均粒径３〜１０μｍの無機粒子または有機粒子を３〜３０重量％含有し、その表面粗度Ｒａ（算術平均粗さ）が０．３０〜１．００μｍである
  
（３−２）「【００１７】 
　
本発明の積層マット調ポリエステルフィルムの少なくとも一方の表面の算術平均粗さ（Ｒａ）は０．３０〜１．００μｍであることが必要であり、好ましくは０．４０〜０．９０μｍ、さらに好ましくは０．５０〜０．８０μｍの範囲である。Ｒａが０．３０μｍ未満では、目的とする剥離性が得られない傾向にある
（４）甲４（特開２００２−２５２４５８号公報）  
　甲４には、次の記載がある。  
  
（４−１）「【特許請求の範囲】 
【請求項１】 
フィルム表面の中心線平均粗さ（Ｒａ）が０．１〜１．０μｍであって
多層プリント配線板製造用ポリエステルフィルム
  
（４−２）「【００１１】不活性粒子をフィルムに配合する場合、その含有量は、ポリエステルフィルムの全配合中の比として、通常０．２〜５重量％、好ましくは０．５〜４重量％、さらに好ましくは１〜３．５重量％である。不活性粒子の含有量が０．２重量％未満の場合は、フィルム表面に十分な凹凸が形成されず、所望の光沢度、すなわち剥離性が得られない傾向にある。一方、含有量が５重量％を超える場合には、フィルム表面の凹凸が大きくなり過ぎる傾向にある。本発明のポリエステルフィルムの固有粘度（ｄｌ／ｇ）は、好ましくは０．５以上、さらに好ましくは０．６以上である。極限粘度が０．５未満の場合、十分な機械的強度を有するフィルムが得られず好ましくない。
本発明のポリエステルフィルム表面の中心線平均粗さ（Ｒａ）は、０．１〜１．０μｍであることが必要であり、好ましくは０．１５〜０．８μｍ、さらに好ましくは０．２〜０．６μｍの範囲である。Ｒａが０．１μｍ未満では、目的とする剥離性が得られない傾向にある
  
（５）甲５（王子アルファンホームページカタログ
　http://www.ojif-tex.co.jp/alphan/pdf/pro/function_film.pdf）  
　甲５には、次の記載がある。  
  
（５−１）「 
」 
（６）甲６（特開平１１−０９２７２０号公報）  
　甲６には、次の記載がある。  
（６−１）「【請求項１】 
粘着剤層とその両面側に接触するシリコ―ン処理を施していない剥離ライナとを有する両面粘着シ―ト類において、上記の剥離ライナはポリオレフイン系フイルムにより構成され、かつこのポリオレフイン系フイルムの表面粗さが中心線平均表面粗さ〔Ｒａ〕で０．１〜１．０μｍの範囲にある
  
（６−２）「【０００２】 
【従来の技術】
電気、電子、建築、自動車などの業界では、製品が多品種化した部品群から成り立つている。これら部品の接着接合は、従来では、液状接着剤などでの接着が一般的であつたが、最近では、作業環境の向上、作業性の点より、両面粘着シ―ト類を用いて接着接合することが多くなつてきた
  
（６−３）「【０００６】本発明は、このような事情に照らし、シリコ―ン処理を施していない剥離ライナを用い、
電子機器などの用途にも使用可能な両面粘着シ―ト類であつて、上記剥離ライナの剥離性にすぐれるものを提供する
  
（６−４）「【００２５】その結果、
上記フイルム１の主面側剥離面１１の剥離力（Ｆａ）が背面側剥離面１２の剥離力（Ｆｂ）より小さく、通常は、両者の比〔Ｆｂ／Ｆａ〕が１．５〜２５、好ましくは１．８〜２０、より好ましくは２．０〜１５となり、このフイルム１からなる剥離ライナを粘着剤層２の主面２１側でより軽い力で剥離できるようになり、剥離作業をスム―スに行うことができる
（７）甲７（特開２００９−２０２４２２号公報 ）  
　甲７には、次の記載がある。  
（７−１）「【請求項１】 
絶縁樹脂層の一方の面に基材、他方の面にカバーフィルムを有する積層シートであって
カバーフィルムの最大高さ粗さＲｚが２〜５０ｕｍである
  
（７−２）「【００１０】 
　まず、本発明の積層シートについて説明する。 
　本発明の積層シートは、絶縁樹脂層の一方の面に基材、他方の面にカバーフィルムより構成される。前記カバーフィルムは、エンボス加工を施されており、
カバーフィルムの最大高さ粗さＲｚが２〜５０ｕｍである。このことにより、多層プリント配線板の製造工程において、内層回路基板に積層シートを貼り付ける直前まで、カバーフィルムが剥がれることがなく、内層回路基板に積層する直前に、カバーフィルムを剥がしても積層シートの絶縁樹脂層の一部がカバーフィルムへ付着や、絶縁樹脂層に割れなどの欠陥が生じるという問題がない
（８）甲７−１（土木学会論文集　Ａ１（構造・地震工学）、Vol.67、No.2、PP.446-453、2011 ）  
　甲７−１には、次の記載がある。  
（８−１）「
（１）Ｒａと，Ｒ
ＺＪＩＳ
，Ｒ
Ｚ
の間には高い相関がある。Ｒ
ＺＪＩＳ
とＲ
Ｚ
から，以下の式を用いて，精度よく算術平均粗さＲａを推定することができる
　Ｒａ＝０．１８５×ＲＺＪＩＳ　　Ｒａ＝０．１３７×ＲＺ」（４５３頁左欄９行〜１２行）   
  
２　甲１に記載の発明  
  
（１）甲１発明Ａについて  
   
　甲第１号証には、上記１（１）（１−１）の請求項１に「支持体及び該支持体と接合している樹脂組成物層からなる接着シートと、該接着シートの樹脂組成物層と接合するように設けられた保護フィルムとを含む保護フィルム付き接着シートであって、 
 樹脂組成物層が無機充填材及び熱硬化性樹脂を含」む保護フィルム付き接着シートが記載されている。また、同（１−４）の実施例１に、前記樹脂組成物の樹脂材料としてエポキシ樹脂が選択され、硬化剤として活性エステル硬化剤を使用し、支持体としてアルキド樹脂系離型層付きポリエチレンテレフタレートフィルムを用い、支持体の離型層側表面に樹脂組成物層を形成し、保護フィルムとしてポリプロピレンフィルム（アルファンＭＡ−４１１）を用い、その平滑面側を樹脂組成物層側表面にラミネート処理を行った例が記載されている。  
　そうすると、甲１には、「支持体と樹脂組成物層とからなる接着シートと、接着シートの樹脂組成物層と接合するように設けられた保護フィルムとを含む保護フィルム付き接着シートであって、 
　保護フィルムが、ポリプロピレンフィルム（アルファンＭＡ−４１１）であり、 
　樹脂組成物層が、無機充填材、エポキシ樹脂及び硬化剤を含み、 
　支持体が、樹脂組成物層と接合する面にアルキド樹脂系離型剤からなる離型層を有する離型層付き支持体である、保護フィルム付き接着シート」（以下、「甲１発明Ａ」という。）が記載されているといえる。  
  
（２）甲１発明Ｂについて  
  
　甲１には、上記１（１）（１−１）及び（１−４）の記載に加え、同（１−３）に、「（ａ−１）本発明のロール状保護フィルム付き接着シートから保護フィルム付き接着シートを搬送しながら、保護フィルムを剥離する工程、
　（ａ−２）樹脂組成物層が露出した接着シートを、樹脂組成物層が回路基板と接合するように配置する工程、 
　（ａ−３）接着シートの一部を支持体側から加熱及び加圧することで部分的に接着シートを回路基板に接着する工程、及び 
　（ａ−４）接着シートを回路基板のサイズに応じてカッターでカットすることにより、カットされた接着シートを回路基板の表面に設ける工程」を含む積層体の製造方法及び、「（ｂ−１）本発明の方法で製造された積層体を加熱及び加圧し、回路基板に接着シートをラミネート処理する工程、及び 
　（ｂ−２）樹脂組成物層を熱硬化し、絶縁層を形成する工程」を含むプリント配線板の製造方法が記載されている。 
　そうすると、甲１には、「支持体と樹脂組成物層とからなる接着シートと、接着シートの樹脂組成物層と接合するように設けられた保護フィルムとを含む保護フィルム付き接着シートであって、 
　保護フィルムが、ポリプロピレンフィルム（アルファンＭＡ−４１１）であり、 
　樹脂組成物層が、無機充填材、エポキシ樹脂及び硬化剤を含み、 
　支持体が、樹脂組成物層と接合する面にアルキド樹脂系離型剤からなる離型層を有する離型層付き支持体である、ロール状保護フィルム付き接着シートを用いて、カットされた接着シートが回路基板の表面に設けられた積層体を形成する工程、 
　積層体を加熱及び加圧し、回路基板に接着シートをラミネート処理する工程、 
及び 
　樹脂組成物層を熱硬化し、絶縁層を形成する工程 
を含む、プリント配線板の製造方法。」（以下、「甲１発明Ｂ」といい、上記「甲１発明Ａ」と合わせて「甲１発明」という。）が記載されているといえる。   
  
３　本件発明と甲１発明との対比・判断  
  
（１）本件発明１について  
  
ア　本件発明１と甲１発明Ａとの一致点・相違点  
  
　本件発明１と甲１発明Ａを対比する。  
  
　甲１発明Ａの「支持体」、「保護フィルム」は、２つの面を有していることは明らかであるから、それぞれ、本件発明１の「第１及び第２の表面を有する支持体」、「第１及び第２の表面を有する保護フィルム」に相当するといえる。また、甲１発明Ａの「ポリプロピレンフィルム」は、プラスチック材料からなることは明らかであるから、本件発明１の「プラスチック材料からなるフィルム」であるといえ、甲１発明Ａの「アルキド樹脂系離型剤」は、非シリコーンの離型剤であることは明らかであるから、本件発明１の「非シリコーン離型剤」に相当するといえる。 さらに、甲１発明Ａにおいて、保護フィルムとして使用されるアルファンＭＡ−４１１は、甲５（参考資料：アルファンＦＧ−２０１及びＥ−２０１ＦのＪＩＳ　Ｂ　０６０１で測定した数値が上記（５−１）の表と一致する。）によると、ＪＩＳ　Ｂ　０６０１で測定したと認められる保護フィルムの算術平均粗さが粗化面側はＲａが０．４５μｍであり、平滑面側は０．０５μｍであるから、 保護フィルムの第１の表面の算術平均粗さＲａｐ１は４５０ｎｍ、第２の表面の算術平均粗さＲａｐ２は５０ｎｍであり、保護フィルムの第１の表面の算術平均粗さＲａｐ１と支持体の第１の表面の算術平均粗さＲａｓ１との合計は４５０ｎｍ以上となることは明らかである。 
　そうすると、本件発明１と甲１発明Ａは、「第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、
　ＪＩＳ　Ｂ　０６０１に準拠して測定した保護フィルムの第１の表面の算術平均粗さ（Ｒａｐ１）が４５０ｎｍであり、
　保護フィルムの第１の表面の算術平均粗さ（Ｒａｐ１）と、支持体の第１の表面の算術平均粗さ（Ｒａｓ１）との合計が４５０ｎｍ以上であり、
　保護フィルムが、プラスチック材料からなるフィルムであり、
　樹脂組成物層が、無機充填材、エポキシ樹脂及び硬化剤を含み、
　支持体が、樹脂組成物層と接合する面に非シリコーン離型剤からなる離型層を有する離型層付き支持体である、保護フィルム付き接着シート。」 である点で一致し、以下の点で相違する。  
  
（相違点）本件発明１は、「ＪＩＳ　Ｂ　０６０１に準拠して測定した保護フィルムの第２の表面の算術平均粗さ（Ｒａｐ２）が１００ｎｍ以上」であるのに対して、甲１発明Ａにおいて、保護フィルムの樹脂層と接する平滑面側の算術平均粗さ（Ｒａｐ２）は５０ｎｍである点。  
    
イ　相違点に関する判断  
  
　上記（相違点）について検討する。  
  
（ア）まず、甲１の記載をみると、甲１の上記１（１）（１−１）の請求項１には、「支持体の剥離強度（ＳＡ）と、樹脂組成物層に対する保護フィルムの剥離強度（ＳＢ）とが、ＳＡ−ＳＢ≧０．００２０［ｋｇｆ／ｃｍ］を満たす」ことが規定されている。そして、当該規定は、同（１−２）の段落【００６４】によると、樹脂剥がれを防止する観点から定められたものであることが分かる。
　そして、上記規定は、樹脂組成物層に対する保護フィルムの剥離強度（ＳＢ）を樹脂組成物層に対する支持体の剥離強度（ＳＡ）よりも一定程度以上低くすることを定めたものであるから、甲１に記載の発明においても、樹脂組成物層に対する保護フィルムの接着力を弱くすることが重要である旨認識されていたと理解できる。  
　ここで、接着力を弱くする方法として、甲１の同（１−２）には、特定の無機充填材、エポキシ樹脂および硬化剤を含む樹脂組成物層を形成すること（段落【００３７】）、接着シートを回路基板にラミネート処理した後に支持体が剥離可能である程度に支持体に離型剤を使用して上記支持体の剥離強度（ＳＡ）を高くすること（段落【００５７】及び【００５８】）、支持体の厚みを大きくする手段で上記支持体の剥離強度（ＳＡ）を高くすること（段落【００６０】）、保護フィルムの厚みを薄くすること（段落【００６５】）、樹脂組成物中の残留溶剤量を規定すること（段落【００６９】）、保護フィルムを樹脂組成物層にラミネート処理する際の圧着圧力や温度条件を規定すること（段落【００７３】〜【００７６】）が記載されており、上記（１−４）には、これらを実際に実施して上記関係式を満たすようにした具体例が記載されている。
（イ）一方、樹脂組成物層に接触する側のフィルム面の表面粗さを大きくして接着力を弱める、すなわち、剥離強度を低くすることは本件発明の優先日当時に当業者によく知られた技術であり、例えば、甲２の上記（２−１）及び（２−２）、甲３の上記（３−１）及び（３−２）、甲４の上記（４−１）及び（４−２）、甲６の上記（６−１）〜（６−４）、甲７の上記（７−１）及び（７−２）には、他層と接する面の算術平均粗さ（Ｒａ）を本件発明１の「第２の表面の算術平均粗さ（Ｒａｐ２）が１００ｎｍ以上」と一部重複する範囲とすることが記載されている。 
（ウ）上記（ア）、（イ）を併せ考えると、上記（イ）のとおり、樹脂組成物層に接触する側のフィルム面の表面粗さを大きくして接着力を弱め、剥離強度を低くする手段はよく知られた手段であって、樹脂組成物層に接する保護フィルムの表面粗さを本件発明１に記載の程度に大きくすることが公知の技術であったとしても、甲１発明は、甲１の実施例１に着目して導出したものであり、すでに樹脂剥がれを防ぐという目的を達成している上、上記（ア）のとおり、甲１には、接着力を弱める方法として、当該公知の技術とは異なる具体的な手段が既に種々列挙されていることから、甲１発明Ａにおいて、敢えて当該公知の技術を採用することを、動機付ける程の事実は見当たらないといわざるを得ない。
　また、仮に、甲１発明Ａにおいて当該公知の技術を採用して、その保護フィルムの第２の表面の算術平均粗さを再設計し得るとしても、その際その値を本件発明１の数値範囲内のものとすることまで容易想到の事項ということはできないし、当該再設計に際し、第１の表面の算術平均粗さの数値（上記アにおいて本件発明１との一致点とした点）をそのまま維持しなければならない事情は見当たらないから、甲１発明Ａにおいて、当該第１の表面の算術平均粗さの数値をそのままにして、第２の表面の算術平均粗さの数値のみを本件発明１の数値の範囲内に再設計することが容易想到の事項ということもできない。  
  
（エ）そして、本件発明１の効果についてみると、本件明細書の段落【０１２０】〜段落【０１４２】の実施例、特に【表１】には、本件発明１の表面粗さを有する保護フィルム及び支持体を使用した実施例１〜４が、樹脂剥がれのみならず、巻きずれについても良好な結果が示されているから、本件発明１は、上記（相違点）に係る発明特定事項を含む、特定の構成により、所期の効果を奏するものと認められる。  
  
（オ）そうすると、本件発明１は、甲１発明Ａ及び甲２〜４，６，７に記載の技術的事項に基づいて当業者が容易に発明をすることができたものであるとはいえない。  
  
（２）本件発明２について  
  
　本件発明２は、保護フィルム及び支持体表面の算術平均粗さの測定方法において本件発明１と相違するにすぎず、本件発明１のように上記（相違点）に係る発明特定事項を具備するものである。  
   
　そうすると、本件発明２と甲１発明Ａとは、上記（１）で検討したのと同様の相違点を有することになるから、本件発明２は、上記（１）において説示した理由と同様の理由により、甲１発明Ａ及び甲２〜４，６，７に記載の技術的事項に基づいて当業者が容易に発明をすることができたものであるとはいえない。 
  
（３）本件発明３について  
  
　本件発明３は、保護フィルム付き接着シートの用途を「プリント配線板の絶縁層用」に限定すると同時に支持体層の非シリコーン離型剤からなる離型層の要件を削除した点で本件発明１と相違するにすぎず、本件発明１のように上記（相違点）に係る発明特定事項を具備するものである。  
  
　そうすると、本件発明３と甲１発明Ａとは、上記（１）で検討したのと同じ相違点を有することになるから、本件発明３は、上記（１）において説示した理由と同じ理由により、甲１発明Ａ及び甲２〜４，６，７に記載の技術的事項に基づいて当業者が容易に発明をすることができたものであるとはいえない。  
（４）本件発明４について  
  
　本件発明４は、保護フィルム付き接着シートの用途を「プリント配線板の絶縁層用」に限定すると同時に支持体層の要件を削除した点で本件発明２と相違するにすぎず、本件発明１のように上記（相違点）に係る発明特定事項を具備するものである。  
  
　そうすると、本件発明４と甲１発明Ａとは、上記（２）で検討したのと同様の相違点を有することになるから、本件発明４は、上記（１）において説示した理由と同様の理由により、甲１発明Ａ及び甲２〜４，６，７に記載の技術的事項に基づいて当業者が容易に発明をすることができたものであるとはいえない。 
（５）本件発明５〜１０について
　本件発明５は、樹脂組成物層中の無機充填材の含有量を特定した点、本件発明６は、保護フィルムの第２の表面の算術平均粗さ（Ｒａｐ２）をさらに限定した点、本件発明７〜９は、それぞれ、保護フィルム、支持体又は樹脂組成物層の厚さをさらに限定した点で、本件発明１０は、保護フィルム付き接着シートがロール状に巻き取られたものである点で本件発明１と相違するにすぎず、本件発明１のように上記（相違点）に係る発明特定事項を具備するものである。 
  
　そうすると、本件発明５〜１０と甲１発明Ａとは、上記（１）で検討したのと同じ相違点を有することになるから、本件発明５〜１０は、上記（１）において説示した理由と同じ理由により、甲１発明Ａ及び甲２〜４，６，７に記載の技術的事項に基づいて当業者が容易に発明をすることができたものであるとはいえない。  
  
（６）本件発明１１について  
  
　本件発明１１と甲１発明Ｂを対比する。  
  
　甲１発明Ｂの「支持体」、「保護フィルム」は、２つの面を有していることは明らかであるから、それぞれ、本件発明１の「第１及び第２の表面を有する支持体」、「第１及び第２の表面を有する保護フィルム」に相当するといえる。また、甲１発明Ｂの「ポリプロピレンフィルム」は、プラスチック材料からなることは明らかであるから、本件発明１の「プラスチック材料からなるフィルム」であるといえ、甲１発明Ｂの「アルキド樹脂系離型剤」は、非シリコーンの離型剤であることは明らかであるから、本件発明１の「非シリコーン離型剤」に相当するといえる。 さらに、甲１発明Ｂにおいて、保護フィルムとして使用されるアルファンＭＡ−４１１は、甲５（参考資料）によると、ＪＩＳ　Ｂ　０６０１で測定した保護フィルムの算術平均粗さが粗化面側はＲａが０．４５μｍであり、平滑面側は０．０５μｍであるから、保護フィルムの第１の表面の算術平均粗さＲａｐ１は４５０ｎｍ、第２の表面の算術平均粗さＲａｐ２は５０ｎｍであり、保護フィルムの第１の表面の算術平均粗さＲａｐ１と支持体の第１の表面の算術平均粗さＲａｓ１との合計は４５０ｎｍ以上となることは明らかである。加えて、甲１発明Ｂの「回路基板」は、本件明細書の段落【０１０２】の記載からみて、本件発明１１の「内層基板」に相当するといえる。 
　そうすると、本件発明１１と甲１発明Ｂは、「第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、
　ＪＩＳ　Ｂ　０６０１に準拠して測定した保護フィルムの第１の表面の算術平均粗さ（Ｒａｐ１）が４５０ｎｍであり、
　保護フィルムの第１の表面の算術平均粗さ（Ｒａｐ１）と、支持体の第１の表面の算術平均粗さ（Ｒａｓ１）との合計が４５０ｎｍ以上であり、
　保護フィルムが、プラスチック材料からなるフィルムであり、
　樹脂組成物層が、無機充填材、エポキシ樹脂及び硬化剤を含み、
　支持体が、樹脂組成物層と接合する面に非シリコーン離型剤からなる離型層を有する離型層付き支持体である、ロール状保護フィルム付き接着シートを用いて、カットされた接着シートが内層基板の表面に設けられた積層体を形成する工程、
　積層体を加熱及び加圧し、内層基板に接着シートをラミネート処理する工程、
 及び
　樹脂組成物層を熱硬化し、絶縁層を形成する工程
を含む、プリント配線板の製造方法。」 である点で一致し、以下の点で相違する。  
  
（相違点）本件発明１１は、「ＪＩＳ　Ｂ　０６０１に準拠して測定した保護フィルムの第２の表面の算術平均粗さ（Ｒａｐ２）が１００ｎｍ以上」であるのに対して、甲１発明Ｂにおいて、保護フィルムの樹脂層と接する平滑面側の算術平均粗さ（Ｒａｐ２）は５０ｎｍである点。  
  
　当該相違点については、すでに、上記「（１）本件発明１について」で検討したとおりである。  
 　 
　したがって、本件発明１１は、甲１発明Ｂ、甲１に記載された事項及び甲２〜４，６，７に記載の技術的事項に基づいて当業者が容易に発明をすることができたものであるとはいえない。
  
（７）本件発明１２について 
  
　本件発明１２は、本件発明１１の（Ｉ）工程において、さらに限定した点で本件発明１１と相違するにすぎず、本件発明１１のように上記（相違点）に係る発明特定事項を具備するものである。 
  
　そうすると、本件発明１２と甲１発明Ｂとは、上記（６）で検討したのと同じ相違点が存在するのであるから、本件発明１２は、上記（１）において説示した理由と同じ理由により、甲１発明Ｂ及び甲２〜４，６，７に記載の技術的事項に基づいて当業者が容易に発明をすることができたものであるとはいえない。  
  
  
４　異議申立人の平成３０年１１月２９日付け上申書（以下、単に「上申書」という。）における主な主張について  
   
　上記３（１）イ（ウ）における容易想到性の判断に関し、異議申立人は、上申書において、（ｉ）下記参考資料９、乙４号証によると、甲１発明Ａは、保護フィルムの表と裏を意図的に使い分けているものであり、保護フィルムの粗面を樹脂組成物層ではない側に意図的に配するものであるから、当該甲１発明Ａには、保護フィルムの粗面を接着シートの外側に配することが必須の事項として内在すること、及び、（ｉｉ）下記参考資料４〜８によると、保護フィルムの粗面を外側に配する、つまり、保護フィルムの露出面に相当する面の「滑り摩擦係数」を一定範囲とするという手段により、ロール状としたフィルムの保管時の巻きずれという課題が達成できることは周知であり、当該課題は甲１発明Ａにも内在することを理由に、保護フィルムの第２の表面の算術平均粗さを再設計する際には、第１の表面の算術平均粗さをそのまま維持する必要がある旨主張する。
　しかしながら、乙第７号証によると、甲１の実施例２の保護フィルム（ＡＬ５）の表面算術平均粗さは、両面とも４０ｎｍ程度であり、特に、甲１に記載された技術思想全般に渡って、第１の表面の算術平均粗さを意図的に高くするような配慮は認められないから、甲１発明Ａにおいて、異議申立人が主張するような事項が内在しているとまではいえない。
　したがって、甲１発明Ａにおいて、第１の表面の算術平均粗さをそのまま維持しなければならない事情を見出すことはできないから、上記異議申立人の主張は採用できない。
　参考資料４：浅井希、“ウェブ”ロールｔｏロールの搬送、巻取り技術　そのトラブル発生メカニズムと対策、第１版第１刷、２０１３年１１月２９日、ｐ．３２〜３９
　参考資料５：特開平１０−３３３３２８号公報
　参考資料６：特開２００２−３６３３４号公報
　参考資料７：特開２００２−１８７１４８号公報
　参考資料８：特開平５−３１０３４６号公報
　参考資料９：特開２０１０−７３３５５号公報
　乙第４号証：特開２０１６−７４７８８号公報
　乙第７号証：保護フィルム（ＡＬ５）の表面算術平均粗さを示す実験成績証明書
５　小括
　以上のとおりであるから、上記取消理由によって本件特許１ないし１２を取り消すことはできない。  
  
  
第６　取消理由（決定の予告）で採用しなかった申立理由
  
　異議申立人は、申立理由として、非接触３次元表面解析装置を用いてＶＳＩモードにてデータを取り込んだ後、表面粗さＲａの数値を求める際に、どの「補正処理」を採用するか及び「フィルター処理」を行うか否かによって当該数値に大きく影響を及ぼすことから、請求項２，４に記載の当該装置によって得られる表面粗さＲａの数値は一義的に定まらないとして、本件発明２，４〜１２に対して、特許法第３６条第６項第２号違反であることを主張する。
　以下に、「補正処理」及び「フィルター処理」についてそれぞれ検討する。
１　補正処理について 
  
　非接触型表面粗さ計を用いた表面粗さの測定において、選択し得る補正処理としては、Ｔｉｌｔ補正（傾斜補正）、Ｃｙｌｉｎｄｅｒ補正（円柱補正）の他、Ｃｕｒｖａｔｕｒｅ補正（曲率補正）がある。斯かる補正処理は、測定に使用される干渉計の構成や測定対象サンプルの形状の影響を除外して、正確な表面粗さを得るために行われる構成処理である。 
　そして、乙第１号証（WYKO CORPORATION、WYKO Surface Profilers Technical Reference Manual、１９９６年５月、Ｐ．４−３，４−７〜４−９）の４章３頁を参酌するに、傾斜補正（Ｔｉｌｔ補正）は、測定に使用される干渉計の構成に起因した影響を除外するために選択すべき校正処理であり、測定対象サンプル自体の形状が平坦であったとしても行うべき必須の校正処理である。他方、円柱補正（Ｃｙｌｉｎｄｅｒ補正）や曲率補正（Ｃｕｒｖａｔｕｒｅ補正）は、測定対象サンプル自体の形状が平坦でない場合に、その形状の影響を除外するために選択される校正処理である。ゆえに、何れの補正処理（校正処理）を選択すべきかは、表面粗さを計測する者であれば理解しているべき、基本的な事項である。 
　例えば、特開２０００−９９３１号公報の請求項１及び段落【００８７】〜【００９２】には、円筒形パイプを試料ホルダーとして使用する場合には、「cylinder and tilt」（円柱＋傾斜補正）を選択し、試料ホルダーとしてガラス板を使用する場合は、「tilt only」（傾斜補正）を選択しており、上述の測定対象サンプルの形状に応じた適切な補正処理が行われていることが理解できる。 
  
　したがって、傾斜補正のみとするか、円柱＋傾斜補正とするか、曲率＋傾斜補正とするかは、測定対象サンプルの形状に応じて、表面粗さを計測する者であれば適切に選択し得る、基本的な事項であり、本件明細書において、特段の記載がなくとも、明瞭であるといえる。 
  
２　フィルター処理において 
  
　非接触型表面粗さ計を用いた表面粗さの測定において、選択し得るフィルター処理としては、ローパスフィルター処理、ハイパスフィルター処理、中間フィルター処理がある。斯かるフィルター処理は、測定測定データからある周波数領域のデータの寄与を軽減させることにより特定周波数のデータを強調して示すエフェクト処理である。 
　そして、乙第１号証の４章７〜９頁を参酌するに、ローパスフィルター処理は、測定データにおける高周波数データの寄与を軽減し低周波数データを強調して示すことが可能であるため、測定対象サンプル表面のうねりや間隔が広い不規則性等の情報を得る際に使用し得る。ハイパスフィルター処理は、測定データにおける低周波数データの寄与を軽減し、高周波数データを強調して示すことが可能であるため、測定対象サンプル表面の間隔が接近している不規則性等の情報を得る際に使用し得る。さらに、中間フィルター処理は、測定データにおける中間領域の周波数データを強調して示すことが可能であるため、エッジやステップといった表面特性に関する情報を得る際に使用し得る。ゆえに、特定部データに着目した検討を行う特段の必要がない場合、フィルター処理を実施しないことが理解され、実際に、本件明細書の実施例において使用する非接触型表面粗さ計「ＮＴ３３００」では、フィルター処理のデフォルト設定が「Ｎｏｎｅ」とされている。 
　例えば、特開２０１４−２１８５８６号公報の段落【００７５】には、フィルター処理を行わない場合がある旨記載されているが、当該公報には、測定データのうち特定周波数データに着目した検討を行うことを前提とする記載はなく、追加的なエフェクト処理であるフィルター処理を行っていないことは明らかである。 
  
　したがって、特定周波数データに着目した検討を行う特段の必要がない場合に、フィルター処理を採用しないことは、表面粗さを計測する者であれば理解しているべき基本的な事項であり、本件明細書において、特段の記載がなくとも、明瞭であるといえる。  
  
３　小括 
　よって、本件特許発明２，４〜１２に係る特許請求の範囲の記載は、明瞭であるといえ、特許法第３６条第６項第２号に適合するものである。 
    
  
第７　むすび  
  
　上記「第５」及び「第６」で検討したとおり、本件特許１ないし１２は、特許法第２９条第２項の規定に違反してされたものであるということはできず、同法第１１３条第２号に該当するものではなく、同法第３６条第６項第２号に規定する要件を満たしていない特許出願に対してされたものであるということはできず、同法第１１３条第４号に該当するものではないから、上記取消理由及び上記申立理由によっては、本件特許１ないし１２を取り消すことはできない。  
　また、他に本件特許１ないし１２を取り消すべき理由を発見しない。  
  
　よって、結論のとおり、決定する。
【異議決定日】
平成３１年１月２２日（２０１９．１．２２）
【訂正の要旨】
審決（決定）の【理由】欄参照。
（５７）【特許請求の範囲】
　【請求項１】
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、
　ＪＩＳ　Ｂ　０６０１に準拠して測定した保護フィルムの第１の表面の算術平均粗さ（Ｒａｐ１）が１００ｎｍ以上であり、
　ＪＩＳ　Ｂ　０６０１に準拠して測定した保護フィルムの第２の表面の算術平均粗さ（Ｒａｐ２）が１００ｎｍ以上であり、
　保護フィルムの第１の表面の算術平均粗さ（Ｒａｐ１）と、支持体の第１の表面の算術平均粗さ（Ｒａｓ１）との合計が１２０ｎｍ以上であり、
　保護フィルムが、プラスチック材料からなるフィルムであり、
　樹脂組成物層が、無機充填材、エポキシ樹脂及び硬化剤を含み、
　支持体が、樹脂組成物層と接合する面に非シリコーン離型剤からなる離型層を有する離型層付き支持体である、保護フィルム付き接着シート。
　【請求項２】
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、
　非接触型表面粗さ計を用いてＶＳ
Ｉモ
　非接触型表面粗さ計を用いてＶＳ
Ｉモ
　保護フィルムの第１の表面の算術平均粗さ（Ｒａｐ１）と、支持体の第１の表面の算術平均粗さ（Ｒａｓ１）との合計が１２０ｎｍ以上であり、
　保護フィルムが、プラスチック材料からなるフィルムであり、
　樹脂組成物層が、無機充填材、エポキシ樹脂及び硬化剤を含み、
　支持体が、樹脂組成物層と接合する面に非シリコーン離型剤からなる離型層を有する離型層付き支持体である、保護フィルム付き接着シート。
　【請求項３】
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、
　ＪＩＳ　Ｂ　０６０１に準拠して測定した保護フィルムの第１の表面の算術平均粗さ（Ｒａｐ１）が１００ｎｍ以上であり、
　ＪＩＳ　Ｂ　０６０１に準拠して測定した保護フィルムの第２の表面の算術平均粗さ（Ｒａｐ２）が１００ｎｍ以上であり、
　保護フィルムの第１の表面の算術平均粗さ（Ｒａｐ１）と、支持体の第１の表面の算術平均粗さ（Ｒａｓ１）との合計が１２０ｎｍ以上であり、
　保護フィルムが、プラスチック材料からなるフィルムであり、
　樹脂組成物層が、無機充填材、エポキシ樹脂及び硬化剤を含む、プリント配線板の絶縁層用保護フィルム付き接着シート。
　【請求項４】
　第１及び第２の表面を有する支持体と該支持体の第２の表面と接合している樹脂組成物層とからなる接着シートと、第１及び第２の表面を有し且つ該第２の表面が接着シートの樹脂組成物層と接合するように設けられた保護フィルムとを含む保護フィルム付き接着シートであって、
　非接触型表面粗さ計を用いてＶＳ
Ｉモ
　非接触型表面粗さ計を用いてＶＳ
Ｉモ
　保護フィルムの第１の表面の算術平均粗さ（Ｒａｐ１）と、支持体の第１の表面の算術平均粗さ（Ｒａｓ１）との合計が１２０ｎｍ以上であり、
　保護フィルムが、プラスチック材料からなるフィルムであり、
　樹脂組成物層が、無機充填材、エポキシ樹脂及び硬化剤を含む、プリント配線板の絶縁層用保護フィルム付き接着シート。
　【請求項５】
　樹脂組成物層中の無機充填材の含有量が、樹脂組成物層中の不揮発成分を１００質量％としたとき、６０質量％以上である、請求項１〜４のいずれか１項に記載の保護フィルム付き接着シート。
　【請求項６】
　保護フィルムの第２の表面の算術平均粗さ（Ｒａｐ２）が２５０ｎｍ以上である、請求項１〜５のいずれか１項に記載の保護フィルム付き接着シート。
　【請求項７】
　保護フィルムの厚さが、１０〜３０μｍである、請求項１〜６のいずれか１項に記載の保護フィルム付き接着シート。
　【請求項８】
　支持体の厚さが、１０〜５０μｍである、請求項１〜７のいずれか１項に記載の保護フィルム付き接着シート。
　【請求項９】
　樹脂組成物層の厚さが、１〜２５μｍである、請求項１〜８のいずれか１項に記載の保護フィルム付き接着シート。
　【請求項１０】
　請求項１〜９のいずれか１項に記載の保護フィルム付き接着シートがロール状に巻き取られたロール状保護フィルム付き接着シート。
　【請求項１１】
　（Ｉ）請求項１０に記載のロール状保護フィルム付き接着シートを用いて、カットされた接着シートが内層基板の表面に設けられた積層体を形成する工程、
　（ＩＩ）積層体を加熱及び加圧し、内層基板に接着シートをラミネート処理する工程、及び
　（ＩＩＩ）接着シートの樹脂組成物層を熱硬化し、絶縁層を形成する工程
を含む、プリント配線板の製造方法。
　【請求項１２】
　工程（Ｉ）が、
　（ａ−１）請求項１０に記載のロール状保護フィルム付き接着シートから保護フィルム付き接着シートを搬送しながら、保護フィルムを剥離すること、
　（ａ−２）樹脂組成物層が露出した接着シートを、樹脂組成物層が内層基板と接合するように配置すること、
　（ａ−３）接着シートの一部を支持体側から加熱及び加圧することで部分的に接着シートを内層基板に接着すること、及び
　（ａ−４）接着シートを内層基板のサイズに応じてカッターでカットすることにより、カットされた接着シートを内層基板の表面に設けること
を含む、請求項１１に記載の方法。